(57)【要約】【課題】デザイン性を向上させつつ、長期にわたって良好に使用することができる布団及びその製造方法を提供すること。【解決手段】第一の側地３と第二の側地４とが連結されて袋状に形成された本体部２を備え、前記本体部２に、その厚さ方向に貫通する貫通孔８が形成され、前記貫通孔８の縁部の全長にわたって刺繍部５が形成されており、前記刺繍部５が、前記第一の側地３から前記第二の側地４にわたって縫製されていることを特徴とする。【選択図】図２
2008194130.tif 000002
【特許請求の範囲】
【請求項１】
第一の側地と第二の側地とが連結されて袋状に形成された本体部を備え、
前記本体部に、その厚さ方向に貫通する貫通孔が形成され、
前記貫通孔の縁部の全長にわたって刺繍部が形成されており、
前記刺繍部が、前記第一の側地から前記第二の側地にわたって縫製されていることを特徴とする布団。
【請求項２】
前記第一の側地と前記第二の側地との内面同士が、前記刺繍部によって縫い合わされていることを特徴とする請求項１に記載の布団。
【請求項３】
前記貫通孔及び前記刺繍部が、前記本体部の長手方向に複数形成されていることを特徴とする請求項１又は請求項２に記載の布団。
【請求項４】
前記貫通孔及び前記刺繍部の近傍に、前記本体部の長手方向に延びるキルティング部が設けられていることを特徴とする請求項１から請求項３のいずれか一項に記載の布団。
【請求項５】
前記貫通孔及び前記刺繍部が、前記本体部の長手方向の一端部側に偏心して設けられていることを特徴とする請求項１から請求項４のいずれか一項に記載の布団。
【請求項６】
前記貫通孔及び前記刺繍部が、前記本体部の短手方向の少なくとも一端部に設けられていることを特徴とする請求項１から請求項５のいずれか一項に記載の布団。
【請求項７】
前記刺繍部を囲う縫合部が設けられており、
前記第一の側地と前記第二の側地との内面同士が、前記縫合部によって縫い合わされていることを特徴とする請求項１から請求項６のいずれか一項に記載の布団。
【請求項８】
前記本体部の内部が、まち部によって複数の部屋に区画されており、
前記複数の部屋に、中綿が設けられていることを特徴とする請求項１から請求項７のいずれか一項に記載の布団。
【請求項９】
前記本体部を覆うカバー部を備え、
前記カバー部には、開口部が設けられており、
前記カバー部によって前記本体部が覆われた状態で、前記貫通孔が、前記開口部の開口領域内に配置されることを特徴とする請求項１から請求項８のいずれか一項に記載の布団。
【請求項１０】
第一の側地と第二の側地とが連結されて袋状に形成された本体部に、前記第一の側地から前記第二の側地にわたって縫製された環状の刺繍部を形成する刺繍部形成工程と、
前記刺繍部形成工程によって形成された刺繍部に囲まれた領域に配された前記第一の側地及び前記第二の側地を前記刺繍部の内縁部に沿ってかつ前記内縁部の全長にわたって切断する切断工程と
を含むことを特徴とする布団の製造方法。
【発明の詳細な説明】
【技術分野】
【０００１】
本発明は、睡眠時などに使用する布団及びその製造方法に関する。
【背景技術】
【０００２】
従来より、睡眠時などにおいては種々の布団が使用されている。
これら布団の中には、厚さ方向に貫通し空気の流通が可能な通気孔が布団本体に形成されたものが知られている。（例えば、特許文献１参照）。このような布団によれば、使用者の睡眠中に掛け布団と敷き布団との間に滞留した熱気や湿気を、通気孔を介して逃がすことができる。
【特許文献１】実開昭４９−１０９８２０号公報
【発明の開示】
【発明が解決しようとする課題】
【０００３】
しかしながら、上記のように布団本体に通気孔を設けると、その通気孔の縁から、中綿が吹き出してしまったり、通気孔の縁から糸がほつれてしまったりすることにより、通気孔内の空気の流通を阻害したり、布団本体の耐久性を低下させてしまうという問題がある。さらに、布団本体に通気孔が設けられていると、外観上も美観を損ねてしまうという問題がある。
【０００４】
本発明は、このような事情に鑑みてなされたものであって、デザイン性を向上させつつ、長期にわたって良好に使用することができる布団及びその製造方法を提供することを目的とする。
【課題を解決するための手段】
【０００５】
上記課題を解決するために、本発明は以下の手段を提供する。
本発明は、第一の側地と第二の側地とが連結されて袋状に形成された本体部を備え、前記本体部に、その厚さ方向に貫通する貫通孔が形成され、前記貫通孔の縁部の全長にわたって刺繍部が形成されており、前記刺繍部が、前記第一の側地から前記第二の側地にわたって縫製されていることを特徴とする。
【０００６】
この発明によれば、貫通孔の縁部の全長を刺繍部によって補強することができ、さらに貫通孔を介する本体部内部から外部への中綿の移動を、刺繍部によって規制することができる。
【０００７】
また、本発明は、前記第一の側地と前記第二の側地との内面同士が、前記刺繍部によって縫い合わされていることを特徴とする。
【０００８】
この発明によれば、貫通孔を介する本体部内部から外部への中綿の移動を確実に規制することができる。
【０００９】
また、本発明は、前記貫通孔及び前記刺繍部が、前記本体部の長手方向に複数形成されていることを特徴とする。
【００１０】
この発明によれば、複数の貫通孔を介して熱気や湿気などを確実に逃がすことができる。さらに、貫通孔及び刺繍部により、長手方向に延びる中心線に沿って本体部を折れ曲げ易くすることができ、本体部を使用者の体に密着させることができる。そのため、熱気や湿気などが滞留する布団と敷き布団との間の空間を小さくすることができる。
【００１１】
また、本発明は、前記貫通孔及び前記刺繍部の近傍に、前記本体部の長手方向に延びるキルティング部が設けられていることを特徴とする。
【００１２】
この発明によれば、長手方向に延びる中心線に沿って本体部をさらに折れ曲げ易くすることができる。
【００１３】
また、本発明は、前記貫通孔及び前記刺繍部が、前記本体部の長手方向の一端部側に偏心して設けられていることを特徴とする。
【００１４】
この発明によれば、使用者の所定の部位に滞留する熱気や湿気などを効率よく逃がすことができる。
【００１５】
また、本発明は、前記貫通孔及び前記刺繍部が、前記本体部の短手方向の少なくとも一端部に設けられていることを特徴とする。
【００１６】
この発明によれば、使用者の体に密着する部分である本体部の中心線上を避けて、貫通孔及び刺繍部が設けられることから、効率よく熱気や湿気を逃がすことができる。
【００１７】
また、本発明は、前記刺繍部を囲う縫合部が設けられており、前記第一の側地と前記第二の側地との内面同士が、前記縫合部によって縫い合わされていることを特徴とする。
【００１８】
この発明によれば、中綿の移動を確実に規制することができる。
【００１９】
また、本発明は、前記本体部の内部が、まち部によって複数の部屋に区画されており、前記複数の部屋に、中綿が設けられていることを特徴とする。
【００２０】
この発明によれば、中綿のずれを簡易かつ確実に防止することができる。
【００２１】
また、本発明は、前記本体部を覆うカバー部を備え、前記カバー部には、開口部が設けられており、前記カバー部によって前記本体部が覆われた状態で、前記貫通孔が、前記開口部の開口領域内に配置されることを特徴とする。
【００２２】
この発明によれば、本体部をカバー部で覆った状態でも、熱気や湿気を逃がすことができる。
【００２３】
また、本発明は、第一の側地と第二の側地とが連結されて袋状に形成された本体部に、前記第一の側地から前記第二の側地にわたって縫製された環状の刺繍部を形成する刺繍部形成工程と、前記刺繍部形成工程によって形成された刺繍部に囲まれた領域に配された前記第一の側地及び前記第二の側地を前記刺繍部の内縁部に沿ってかつ前記内縁部の全長にわたって切断する切断工程とを含むことを特徴とする。
【００２４】
この発明においては、刺繍部形成工程によって、本体部に刺繍部が形成され、切断工程によって、刺繍部の内縁部に沿ってかつ内縁部の全長にわたって、第一の側地及び第二の側地が切断される。
これにより、縁部に刺繍部が設けられた貫通孔を、簡易かつ迅速に形成することができる。
【発明の効果】
【００２５】
本発明によれば、貫通孔の縁部の全長を刺繍部によって補強することができ、さらに貫通孔を介する本体部内部から外部への中綿の移動を、刺繍部によって規制することができることから、デザイン性を向上させつつ、長期にわたって良好に使用することができる。
【発明を実施するための最良の形態】
【００２６】
（実施形態１）
以下、本発明の第１の実施形態における布団について、図面を参照して説明する。
図１は、本発明の第１の実施形態としての布団を示したものである。
布団１は、長方形状かつ袋状に形成された布団カバー２０を備えている。布団カバー２０の短手方向Ｗの両端部には、長方形状の開口部２１が形成されている。すなわち、開口部２１は、布団カバー２０の長手方向Ｄに延びる中心線Ｃと、布団カバー２０の長辺部２３との間にそれぞれ設けられている。開口部２１は、布団カバー２０の長手方向Ｄに延ばされている。また、開口部２１は、布団カバー２０の表裏の同じ位置に同形状で形成されている。さらに、開口部２１には、その開口面積の全域にわたって、メッシュ状に形成されたメッシュ部２２が設けられている。
【００２７】
また、布団カバー２０の中には、図２に示すように、長方形状に形成された布団本体部２が入れられている。
布団本体部２は、長方形状の表側地（第一の側地）３と裏側地（第二の側地）４とを備えており、これら表側地３と裏側地４とが連結されて形成されている。すなわち、布団本体部２は、表側地３と裏側地４とが重ね合わされて、それらの側縁部（各辺部）が縫い合わされることにより、袋状に形成されている。
【００２８】
布団本体部２には、図３及び図４に示すように、矩形状の貫通孔８が設けられている。貫通孔８は、布団本体部２を厚さ方向に貫通しており、この貫通孔８を介して空気を流通させることができるようになっている。また、貫通孔８は、布団本体部２を布団カバー２０で覆った状態（図１に示す）で、開口部２１内（開口部２１の開口領域内）に配される位置に形成されている。貫通孔８の縁部には、縁部の全周にわたって刺繍部５が設けられている。刺繍部５は、布団本体部２のデザインの一部をなすものであり、表側地３と裏側地４とにわたって縫い付けられて形成されている。そして、刺繍部５によって、表側地３と裏側地４との内面同士が縫い合わされている。すなわち、刺繍部５においては、表側地３と裏側地４との内面同士が接触している。
【００２９】
これら貫通孔８及び刺繍部５は、図２に示すように、布団本体部２の長手方向Ｄに複数設けられ、かつ、布団本体部２の短手方向Wにも複数設けられている。さらに、貫通孔８及び刺繍部５は、布団本体部２の長手方向Ｄの一端部に偏心して設けられている。すなわち、貫通孔８及び刺繍部５は、布団本体部２の長手方向Ｄの両端部のうち、使用者の頭側に向けられる他端部Ｈよりも、使用者の足側に向けられる一端部Ｆの方に全体がずらされて設けられている。
また、貫通孔８及び刺繍部５は、布団本体部２の短手方向Ｗの両端部に設けられている。すなわち、貫通孔８及び刺繍部５は、布団本体部２の長手方向Ｄに延びる中心線Ｃと、布団本体部２の長辺部１０との間に設けられている。
【００３０】
また、貫通孔８及び刺繍部５の周囲には、図３及び図４に示すように、表側地３と裏側地４とにわたって縫い付けられた縫合部６が設けられている。すなわち、縫合部６は、所定の数の貫通孔８及び刺繍部５を一まとまりとして、これら一まとまりの貫通孔８及び刺繍部５の全体を囲むようにして、一まとまりごとに設けられている。
そして、縫合部６によって、表側地３と裏側地４との内面同士が縫い合わされている。すなわち、縫合部６においては、表側地３と裏側地４との内面同士が接触している。
【００３１】
また、布団本体部２の内部には、布団本体部２に対して縦横方向に延びるまち部１５（図７に示す）が設けられている。まち部１５は帯状に延ばされて形成されており、マトリクス状（格子状）に設けられている。また、まち部１５は、表側地３の内面及び裏側地４の内面のそれぞれに縫い付けられている。そして、まち部１５、表側地３及び裏側地４によって小部屋１１（図５から図７に示す）が区画されている。そして、これら小部屋１１に羽毛（中綿）１２が充填されている。なお、表側地３の内面及び裏側地４の内面に、まち部１５を縫い付けている縫い付け線が、図２に示すキルティング加工線（キルティング部）７となる。キルティング加工線７は、まち部１５に合わされて縦横方向に延ばされている。また、長手方向Ｄに延びるキルティング加工線７は、一まとまりの貫通孔８及び刺繍部５を挟んで、それら貫通孔８及び刺繍部５の近傍に設けられている。
【００３２】
次いで、布団１の製造方法について説明する。
まず、図５に示すように、長方形状の表側地３の裏面に、まちテープ（まち半体部）１６を縦横方向に設ける（まち半体部取付工程）。すなわち、まちテープ１６を表側地３の裏面に縫い付ける。このときに縫い付けられた縫い付け線が、図２に示すキルティング加工線７となる。
また、図６に示すように、長方形状の裏側地４の裏面にも、同様にしてまちテープ１７を設ける（まち半体部取付工程）。そして、このときに縫い付けられた縫い付け線が、同様にキルティング加工線７となる。これらまちテープ１６，１７は、表側地３と裏側地４とで同じ位置に設けられる。
【００３３】
それから、表側地３と裏側地４との内面同士が対向するように、表側地３と裏側地４とを重ねる。そして、図７に示すように、表側地３及び裏側地４に設けられた互いのまちテープ１６，１７同士を縫い付ける（まち半体部連結工程）。このとき、互いに縫い付けられたまちテープ１６，１７が、まち部１５となり、また、まち部１５、表側地３及び裏側地４によって区画された領域が、小部屋１１となる。
さらに、図８に示すように、表側地３及び裏側地４の側縁部（各四辺部）を略全周にわたって縫い合わせる（側地連結工程）。なお、このとき表側地３及び裏側地４の周方向の一部は、後工程において布団本体部２の内部に羽毛１２を充填するために開放しておく。この開放された箇所を開放口（不図示）とする。
【００３４】
そして、図９に示すように、あらかじめデザインされた環状の刺繍部５を、表側地３及び裏側地４の所定の位置に、所定の形状・大きさで設ける（刺繍部形成工程）。刺繍部５は、表側地３と裏側地４とにわたって縫製される。これにより、刺繍部５において、表側地３と裏側地４との内面同士が接触した状態で固定される。また、刺繍部５は、布団本体部２の長手方向Ｄに複数設けられ、さらに、布団本体部２の一端部Ｆ側に偏心させて設けられる。また、刺繍部５は、布団本体部２の短手方向Ｗの両端部であって、キルティング加工線７の近傍に設けられる。
【００３５】
それから、図１０に示すように、所定の数の刺繍部５を一まとまりとして、それら一まとまりの刺繍部５を囲むようにして、縫合部６を設ける（縫合部形成工程）。縫合部６は、表側地３と裏側地４とにわたって縫製される。これにより、刺繍部５の周囲において、表側地３と裏側地４との内面同士が接触した状態で固定される。
さらに、図１１に示すように、環状に形成された刺繍部５の内縁部（内周部）に沿って、かつ、内縁部の全長にわたって、超音波カッター１４や鋏などにより、表側地３及び裏側地４を切断する（切断工程）。これによって、貫通孔８が形成される。すなわち、貫通孔８の縁部の全長にわたって刺繍部５が設けられることになる。
【００３６】
さらに、表側地３及び裏側地４の周方向の一部が開放された開放口から、羽毛１２を詰めていき、すべての小部屋１１に羽毛１２を充填する。それから、開放口を縫製する。これにより、図２に示す布団本体部２が得られる。そして、布団本体部２に布団カバー２０をかけることにより、図１に示す布団１となる。
【００３７】
次に、このように構成された本実施形態における布団の作用について説明する。
就寝するとき、使用者は、布団本体部２の他端部Ｈを頭側にして、一端部Ｆを足元側にして、横たえられた体の上に布団１を掛ける。これにより、布団１は、掛け布団として使用される。そして、特に夏場においては、敷き布団と布団１との間の空間に、熱気や湿気が滞留していく。本実施形態においては、布団本体部２に貫通孔８が形成されていることから、滞留した熱気や湿気は、貫通孔８及び開口部２１を介して、布団１の上方に抜け出していく。これにより、使用者に快適な睡眠環境を与えることができる。
【００３８】
ここで、従来は、布団本体部に通気孔などを形成すると、通気孔から中綿が吹き出したり、通気孔の縁から糸がほつれたりすることによって、通気孔内の空気の流通が阻害され、布団本体部の耐久性が低下していた。さらに、布団本体部に通気孔が設けられていると、外観上も美観を損ねてしまっていた。
本実施形態においては、貫通孔８の縁部の全長にわたって刺繍部５が形成されていることから、貫通孔８の縁部が全長にわたって補強される。また、刺繍部５によって、表側地３と裏側地４との内面同士が接触していることから、布団本体部２内に設けられた羽毛１２が貫通孔８を介して外方に移動することが規制される。
【００３９】
以上より、本実施形態における布団１によれば、貫通孔８の縁部からほつれが生じたり、貫通孔８から羽毛１２が吹き出したりすることを防止することができる。そのため、貫通孔８内において空気を確実に流通させることができ、また布団本体部２の耐久性を向上させることができる。そのため、長期にわたって良好に布団１を使用することができる。
また、貫通孔８の縁部に刺繍部５が設けられていることから、美観を損なうこともなく、デザイン性を向上させることができる。
【００４０】
また、表側地３と裏側地４との内面同士が、刺繍部５によって、接触した状態で固定されていることから、羽毛１２の移動を確実に規制することができる。そのため、羽毛１２の吹き出しを効果的に防止することができる。
また、貫通孔８及び刺繍部５が、布団本体部２の長手方向Ｄに複数形成されていることから、熱気や湿気を確実に逃がすことができる。さらに、貫通孔８及び刺繍部５が、布団本体部２の長手方向Ｄに複数形成されていることから、布団本体部２を中心線Ｃに沿って折れ曲げ易くすることができ、布団本体部２を使用者の体に密着させることができる。そのため、熱気や湿気が滞留する布団１と敷き布団との間の空間を小さくすることができる。
また、貫通孔８及び刺繍部５の近傍に、キルティング加工線７が形成されていることから、布団本体部２をさらに折れ曲げ易くすることができる。
【００４１】
また、貫通孔８及び刺繍部５が、布団本体部２の一端部Ｆ側に偏心して設けられていることから、使用者の腰から足元にかけての空間に滞留する熱気や湿気を効率よく逃がすことができる。
また、貫通孔８及び刺繍部５が、布団本体部２のうち、使用者の体に密着する部分である中心線Ｃ上を避けて、布団本体部２の短手方向Ｄの両端部に設けられていることから、さらに効率よく熱気や湿気を逃がすことができる。
【００４２】
また、縫合部６が設けられていることから、羽毛１２の移動を規制することができ、貫通孔８からの羽毛１２の吹き出しを効果的に防止することができる。
また、布団本体部２内が、まち部１５によって、複数の小部屋１１に区切られ、それら小部屋１１に羽毛１２が充填されていることから、羽毛１２のずれを確実に防止することができる。
また、貫通孔８が開口部２１内に配されることから、布団本体部２を布団カバー２０で覆った状態でも、熱気や湿気を逃がすことができる。
【００４３】
なお、上記実施形態においては、貫通孔８及び刺繍部５の位置、大きさ、数、形状などはデザインなどに応じて適宜変更可能である。例えば、図１２に示すようなデザインとしてもよい。また、開口部２１の位置、大きさ、数、形状なども、貫通孔８及び刺繍部５に合わせて適宜変更可能である。
また、縫合部６が、複数の貫通孔８及び刺繍部５の一まとまりごとに設けられるとしたが、これに限ることはなく、各貫通孔８及び刺繍部５ごとに設けられてもよいし、貫通孔８及び刺繍部５の全体を囲むようにして設けられてもよい。また、縫合部６はなくてもよい。
また、中綿として羽毛１２としたが、これに限ることはなく、ポリエステル綿等の多種多様な材料を利用することができる。
【００４４】
さらに、キルティング加工線７はなくてもよいし、貫通孔８及び刺繍部５の近傍に設けられていなくてもよい。
また、貫通孔８及び刺繍部５は、布団本体部２の長手方向Ｄに偏心して設けられていなくてもよく、長手方向Ｄに均等に設けられてもよい。
また、貫通孔８及び刺繍部５は、布団本体部２の短手方向Ｗの両端部に設けられるとしたが、これに限ることはなく、少なくとも一端部に設けられていればよい。
さらに、まち部１５はなくてもよい。
【００４５】
また、送風機によって温風や冷風が送り込まれる敷き布団と、布団１をセットで利用することができる。これにより、温風の場合に、上掛けの布団に温度を伝え易くすることができ、冷風の場合には、熱気や湿気を逃がし易くすることができる。
なお、本発明の技術範囲は上記の実施形態に限定されるものではなく、本発明の趣旨を逸脱しない範囲において、種々の変更を加えることが可能である。
【図面の簡単な説明】
【００４６】
【図１】本発明に係る布団の第１の実施形態を示す斜視図である。
【図２】図１の布団カバー内に入れられる布団本体部を示す斜視図である。
【図３】図２のＡ−Ａ線断面を拡大して示す断面図である。
【図４】図２の一まとまりの貫通孔及び刺繍部などを拡大して示す斜視図である。
【図５】図２の布団本体部の製造方法を示す図であって、表側地にまちテープを設けた様子を示す斜視図である。
【図６】図２の布団本体部の製造方法を示す図であって、裏側地にまちテープを設けた様子を示す斜視図である。
【図７】図５及び図６のまちテープを連結した様子を示す斜視図である。
【図８】図７の表側地及び裏側地の側縁部を縫い合わせた様子を示す斜視図である。
【図９】図８の表側地及び裏側地に刺繍部を設けた様子を示す斜視図である。
【図１０】図９の表側地及び裏側地に縫合部を設けた様子を示す斜視図である。
【図１１】図１０の刺繍部内の表側地及び裏側地を切断する様子を示す説明図である。
【図１２】貫通孔及び刺繍部の変形例を示す平面図である。
【符号の説明】
【００４７】
１    布団
２    布団本体部
３    表側地（第一の側地）
４    裏側地（第二の側地）
５    刺繍部
６    縫合部
７    キルティング加工線（キルティング部）
８    貫通孔
１１  小部屋
１２  羽毛（中綿）
１５  まち部
２０  布団カバー（カバー部）
２１  開口部
【図１】
2008194130.tif 000003
【図２】
2008194130.tif 000004
【図３】
2008194130.tif 000005
【図４】
2008194130.tif 000006
【図５】
2008194130.tif 000007
【図６】
2008194130.tif 000008
【図７】
2008194130.tif 000009
【図８】
2008194130.tif 000010
【図９】
2008194130.tif 000011
【図１０】
2008194130.tif 000012
【図１１】
2008194130.tif 000013
【図１２】
2008194130.tif 000014